(57)【要約】【課題】極めて扱いやすく作業性が飛躍的に向上し、しかも、簡易な構造で実現できコスト安に製作可能で量産性にも秀れた極めて画期的な切断用定規を提供すること。【解決手段】被切断材Ａにクランプ固定して被切断材Ａ上に定規本体１を固定し切断ガイドとする切断用定規において、前記被切断材Ａの一端部に引っ掛け係止する係止部２と、この係止部２に対して切離する方向にスライド移動自在としたクランプ係止部３とを前記定規本体１に設け、このクランプ係止部３のスライド移動を係止固定・解除するスライド固定機構４と、このクランプ係止部３を前記被切断材Ａの他端部に圧接して前記係止部２とにより定規本体１をクランプ固定・解除するクランプ固定機構５とを備え、一の回動操作部６の回動操作によって前記スライド固定機構４と前記クランプ固定機構５とが共に作動・解除するように構成したものである。【選択図】　　　　図４
2004090603.tif 000002
【特許請求の範囲】
【請求項１】
被切断材にクランプ固定して被切断材上に定規本体を固定し切断ガイドとする切断用定規において、前記被切断材の一端部に引っ掛け係止する係止部と、この係止部に対して切離する方向にスライド移動自在としたクランプ係止部とを前記定規本体に設け、このクランプ係止部のスライド移動を係止固定・解除するスライド固定機構と、このクランプ係止部を前記被切断材の他端部に圧接して前記係止部とにより定規本体をクランプ固定・解除するクランプ固定機構とを備え、一の回動操作部の回動操作によって前記スライド固定機構と前記クランプ固定機構とが共に作動・解除するように構成したことを特徴とする切断用定規。
【請求項２】
前記スライド固定機構及びクランプ固定機構は、前記回動操作部の回動操作により作動する際、前記スライド固定機構が作動した後に、更に回動操作部を回動することで前記クランプ固定機構が作動するように構成したことを特徴とする請求項１に記載の切断用定規。
【請求項３】
前記定規本体の一端部には前記係止部を固定状態に設け、他端部には前記クランプ係止部を前記係止部に対して切離する方向にスライド移動自在に設けて、このクランプ係止部に前記回動操作部を共用する前記スライド固定機構と前記クランプ固定機構とを設けたことを特徴とする請求項１，２のいずれか一項に記載の切断用定規。
【請求項４】
前記回動操作部は、回動体とこの回動体に設けた握持部とから成り、この回動体にはスライド固定用押圧部と、クランプ固定用押圧部とを形成したものであり、この回動操作部を回動させた際、前記スライド固定用押圧部により前記スライド固定機構が、前記クランプ固定用押圧部により前記クランプ固定機構が夫々作動するように構成したことを特徴とする請求項１〜３のいずれか一項に記載の切断用定規。
【請求項５】
前記クランプ係止部は前記被切断材と当接する当接面を有する揺動係止部と、この揺動係止部が揺動状態に設けられ、前記定規本体に対してスライド移動自在に設けたスライド板とから成るものであり、このスライド板に前記揺動係止部を押圧・解除可能に前記回動操作部を設け、前記回動操作部を回動させた際、前記スライド固定用押圧部により前記スライド固定機構を作動し、前記クランプ固定用押圧部により前記揺動係止部を押圧してこの揺動係止部の当接面を被切断材に圧接して前記クランプ固定機構を作動させるように構成したことを特徴とする請求項１〜４のいずれか一項に記載の切断用定規。
【請求項６】
前記回動操作部は握持部を突設することによりハンドル状として、このハンドル状の回動操作部を握持して前記クランプ係止部を前記定規本体に沿ってスライド調整し得るように構成し、この回動操作部を前記定規本体と平行する方向へ回動することで、前記スライド固定機構及びクランプ固定機構を作動させるように構成したことを特徴とする請求項１〜５のいずれか一項に記載の切断用定規。
【発明の詳細な説明】
【０００１】
【発明の属する技術分野】
本発明は、板材等の被切断材を電動鋸等の切断具によって切断する際に用いられる切断用定規に関するものである。
【０００２】
【従来の技術及び発明が解決しようとする課題】
一般に電動鋸を用いて板材等の被切断材を切断する際には、切断ガイドとしてこの板材等の被切断材上に固定して電動鋸を当接摺動させる切断用定規が用いられる。
【０００３】
この従来の切断用定規は、一端部に前記被切断材の一端部と当接係止する係止部を設け、他端部にこの係止部に対して切離する方向にスライド移動自在とすることで前記被切断材の幅に応じて広狭するスライド係止部を設けたものであり、このスライド係止部には、このスライド係止部のスライド移動を係止固定・解除するスライド固定機構を設け、前記係止部には、この係止部を前記被切断材の他端部に圧接して前記スライド係止部とにより定規本体をクランプ固定・解除するクランプ固定機構を設けたものである。
【０００４】
一般に、スライド固定機構は、スライド係止部に設けられた固定用ネジ等でスライド係止部を定規本体に係止固定するものであり、クランプ固定機構は、螺動操作により所定方向に微動するボルト体等で前記係止部を前記被切断材に圧接することで定規本体をクランプ固定するものである。
【０００５】
使用に際しては、この従来の切断用定規を板材等に載置して、一端側のスライド移動自在なスライド係止部を、このスライド係止部と前記係止部とで板材等を挟着するまでスライド移動させ、このスライド係止部のスライド固定機構によりスライド移動を係止固定し、他端側の前記係止部のクランプ固定機構により前記係止部を前記板材等に圧接して前記スライド係止部とにより定規本体を板材等にクランプ固定してこの状態で電動鋸を当接摺動させて板材等を切断することになる。
【０００６】
しかし、この従来の切断用定規は、上述したように被切断材上への固定作業の際、係止部及びスライド係止部の夫々が両端に設けられているため、この被切断材の幅が広い場合には、この被切断材の両端に回ってスライド固定機構及びクランプ固定機構を夫々作動させる必要があり、効率的な作業の妨げとなることは避けられない。
【０００７】
また一方、単にスライド固定機構のみでは、強固に締め上げ固定できないし、また、クランプ固定機構のみでは、被切断材の大きさに対応して調整することができない場合が生じる。
【０００８】
本発明は、鋭意研究の結果、上述の問題点を解決して実現したもので、スライド固定機構及びクランプ固定機構を一端にまとめて設け、一端側でスライド調整可能とすると共にクランプ固定できるように構成し、しかも、一の回動操作部の回動操作で双方が作動するように構成し、同じ側でスライド移動及びクランプ固定を行うことができるようにして、極めて扱いやすく作業性が飛躍的に向上し、しかも、簡易な構造で実現できコスト安に製作可能で量産性にも秀れた極めて画期的な切断用定規を提供するものである。
【０００９】
【課題を解決するための手段】
添付図面を参照して本発明の要旨を説明する。
【００１０】
被切断材Ａにクランプ固定して被切断材Ａ上に定規本体１を固定し切断ガイドとする切断用定規において、前記被切断材Ａの一端部に引っ掛け係止する係止部２と、この係止部２に対して切離する方向にスライド移動自在としたクランプ係止部３とを前記定規本体１に設け、このクランプ係止部３のスライド移動を係止固定・解除するスライド固定機構４と、このクランプ係止部３を前記被切断材Ａの他端部に圧接して前記係止部２とにより定規本体１をクランプ固定・解除するクランプ固定機構５とを備え、一の回動操作部６の回動操作によって前記スライド固定機構４と前記クランプ固定機構５とが共に作動・解除するように構成したことを特徴とする切断用定規に係るものである。
【００１１】
また、前記スライド固定機構４及びクランプ固定機構５は、前記回動操作部６の回動操作により作動する際、前記スライド固定機構４が作動した後に、更に回動操作部６を回動することで前記クランプ固定機構５が作動するように構成したことを特徴とする請求項１に記載の切断用定規に係るものである。
【００１２】
また、前記定規本体１の一端部には前記係止部２を固定状態に設け、他端部には前記クランプ係止部３を前記係止部２に対して切離する方向にスライド移動自在に設けて、このクランプ係止部３に前記回動操作部６を共用する前記スライド固定機構４と前記クランプ固定機構５とを設けたことを特徴とする請求項１，２のいずれか一項に記載の切断用定規に係るものである。
【００１３】
また、前記回動操作部６は、回動体７とこの回動体７に設けた握持部８とから成り、この回動体７にはスライド固定用押圧部１０と、クランプ固定用押圧部９とを形成したものであり、この回動操作部６を回動させた際、前記スライド固定用押圧部１０により前記スライド固定機構４が、前記クランプ固定用押圧部９により前記クランプ固定機構５が夫々作動するように構成したことを特徴とする請求項１〜３のいずれか一項に記載の切断用定規に係るものである。
【００１４】
また、前記クランプ係止部３は前記被切断材Ａと当接する当接面１２を有する揺動係止部１３と、この揺動係止部１３が揺動状態に設けられ、前記定規本体１に対してスライド移動自在に設けたスライド板１４とから成るものであり、このスライド板１４に前記揺動係止部１３を押圧・解除可能に前記回動操作部６を設け、前記回動操作部６を回動させた際、前記スライド固定用押圧部１０により前記スライド固定機構４を作動し、前記クランプ固定用押圧部９により前記揺動係止部１３を押圧してこの揺動係止部１３の当接面１２を被切断材Ａに圧接して前記クランプ固定機構５を作動させるように構成したことを特徴とする請求項１〜４のいずれか一項に記載の切断用定規に係るものである。
【００１５】
また、前記回動操作部６は握持部８を突設することによりハンドル状として、このハンドル状の回動操作部６を握持して前記クランプ係止部３を前記定規本体１に沿ってスライド調整し得るように構成し、この回動操作部６を前記定規本体１と平行する方向へ回動することで、前記スライド固定機構４及びクランプ固定機構５を作動させるように構成したことを特徴とする請求項１〜５のいずれか一項に記載の切断用定規に係るものである。
【００１６】
【発明の実施の形態】
好適と考える本発明の実施の形態（発明をどのように実施するか）を、図面に基づいてその作用効果を示して簡単に説明する。
【００１７】
定規本体１を被切断材Ａである例えば板材に固定し、この固定した定規本体１に例えば電動鋸を当接摺動させて板材を切断する。
【００１８】
この際、この定規本体１の板材への固定は、この板材の一端面に前記定規本体１の係止部２を引っかけ係止させ、クランプ係止部３を、このクランプ係止部３と前記係止部２とで板材を挟着するまでスライド移動させ、一の回動操作部６のみを操作することで、スライド固定機構４及びクランプ固定機構５を同一操作で作動・解除でき、従来のようにスライド固定機構４及びクランプ固定機構５を両端に夫々別々に設ける必要なく、一端側にまとめて設けることができるから、この一端側から手間なく容易に固定することができ、その上、螺動等の細かい作業の必要なく極めて簡易な回動操作だけで定規本体１を板材に固定することができるから、極めて扱いやすく作業性が飛躍的に向上する。
【００１９】
しかも、前記スライド固定機構４及び前記クランプ固定機構５は構造が容易であるから、製作作業工程を削減することができコスト安に製作できる。
【００２０】
従って、本発明は、極めて扱いやすく作業性が飛躍的に向上し、しかも、簡易な構造で実現できコスト安に製作可能で量産性にも秀れた極めて画期的な切断用定規を提供できることとなる。
【００２１】
【実施例】
本発明の具体的な実施例について図面に基づいて説明する。
【００２２】
本実施例は、被切断材Ａにクランプ固定して被切断材Ａ上に定規本体１を固定し切断ガイドとする切断用定規において、この定規本体１の一端部には前記被切断材Ａの一端部に引っ掛け係止する係止部２を設け、他端部にはこの係止部２に対して切離する方向にスライド移動自在としたクランプ係止部３を設け、このクランプ係止部３のスライド移動を係止固定・解除するスライド固定機構４と、このクランプ係止部３を前記被切断材Ａの他端部に圧接して前記係止部２とにより定規本体１をクランプ固定・解除するクランプ固定機構５とを備え、一の回動操作部６の回動操作によって前記スライド固定機構４と前記クランプ固定機構５とが共に作動・解除するように構成したものである。
【００２３】
本実施例のスライド固定機構４及びクランプ固定機構５は、前記回動操作部６を、回動体７とこの回動体７に設けた握持部８とから構成し、この回動体７にはスライド固定用押圧部１０と、クランプ固定用押圧部９とを形成することで、この回動操作部６の回動操作により前記スライド固定機構４及びクランプ固定機構５を作動する際、前記スライド固定用押圧部１０により前記スライド固定機構４が作動した後に、更に前記回動操作部６を回動することで前記クランプ固定用押圧部９により前記クランプ固定機構５が作動するように構成したものである。
【００２４】
具体的には、前記クランプ係止部３を前記被切断材Ａと当接する当接面１２を有する揺動係止部１３と、この揺動係止部１３が揺動状態に設けられ前記定規本体１に対してスライド移動自在に設けたスライド板１４とから構成し、このスライド板１４に前記揺動係止部１３を押圧・解除可能に前記回動操作部６を設けることで、前記回動操作部６を回動させた際、先ず前記スライド固定用押圧部１０により前記スライド固定機構４を作動させ、その後前記クランプ固定用押圧部９により前記揺動係止部１３を押圧してこの揺動係止部１３の当接面１２を被切断材Ａに圧接して前記クランプ固定機構５を作動させるように構成したものである。
【００２５】
各部を更に具体的に説明すると、定規本体１は長さ方向に凹溝１１を形成し、この凹溝１１に前記係止部２及び前記クランプ係止部３を設けたものである。
【００２６】
また、この凹溝１１の側壁上端部には、前記係止部２及びクランプ係止部３の抜けを防止する折り返し部２０を内方に突設している。
【００２７】
また、この凹溝１１の底面中央部にはこの凹溝１１と平行に凹条２１を形成している。
【００２８】
係止部２は、断面視略方形状で内部を中空とした筒体であり、この筒体の一側面を被切断材Ａと当接するゴム板を貼着した当接面１２に設定し、下部には延長板１６を形成したものである。
【００２９】
この係止部２は、前記定規本体１の凹溝１１に延長板１６を固定ボルト３１により固定することで固定状態に設けたものである。
【００３０】
また、本実施例においては、前記係止部２を固定状態に設けたが、固定状態としなくてもよく、例えば、揺動状態に設けて、使用に際して始めて固定状態とするように構成した場合には、幅の狭い被切断材Ａであっても快適に使用できるものとなる。
【００３１】
尚、前記筒体の内部の中空部は、捨て木２６を差し込むための差し込み孔２４であり、この筒体の上部には差し込んだ捨て木２６を固定するための固定ネジ２５を設けている。
【００３２】
クランプ係止部３は、係止部２と同様の当接面１２を有する断面視略方形状で内部を中空とした筒体の下部に延長板１６を形成した揺動係止部１３と、この揺動係止部１３と前記回動操作部６を配設したスライド板１４とから成るものである。
【００３３】
この前記揺動係止部１３と前記回動操作部６とは、この回動操作部６を回動することで、前記被切断材Ａに前記揺動係止部１３を圧接・解除できる位置に設けたものである。
【００３４】
このスライド板１４は、前記定規本体１の凹溝１１に前記係止部２に対して切離する方向にスライド移動自在として設けたものである。
【００３５】
このスライド板１４に設けた前記揺動係止部１３の前記回動操作部６と反対側には、前記延長板１６と遊嵌合する遊嵌合爪１７を形成し、前記揺動係止部１３を、この遊嵌合爪１７とスライド板１４及び回動操作部６との間に揺動状態で配設する構成としている。
【００３６】
また、このスライド板１４の回動操作部６を配設した位置の左右両側面には、凹段部２７を形成し、この凹段部２７と、前記定規本体１の凹溝１１の左右両内側面との間には、平面視略長方形状の摩擦板１５を設けた構成としている。
【００３７】
また、このスライド板１４の内方端部中央には、前記揺動係止部１３の延長板１６の上下方向への揺動を抑制し、前記揺動係止部１３により更に確実にがたつきなくクランプ固定するためのガイド体２２が設けられ、このガイド体２２は前記凹条２１に遊嵌合状態で配設し、スライド移動可能な構成としているものである。
【００３８】
このガイド体２２は上面を傾斜面に設定し、前記揺動係止部１３が前記回動体７により内方へ押圧されると前記揺動係止部１３の延長板１６を前記遊嵌合爪１７の裏面に押圧する構成としている。
【００３９】
回動操作部６は、前記スライド板１４に設けられ、平面視略円形状の回動体７から握持部８を突設したハンドル状とし、この握持部８の反対側には前記揺動係止部１３の一側面を押圧するクランプ固定用押圧部９を突設したものであり、この回動体７の裏面には回動体７の長さ方向の直交方向に長径を有する平面視略楕円形状のスライド固定用押圧部１０を形成したものである。
【００４０】
また、本実施例においては、この回動操作部６をハンドル状としたが、ダイヤル状等の他の形状にしてもよい。
【００４１】
スライド固定機構４は、前記回動体７のスライド固定用押圧部１０と前記摩擦板１５及び凹溝１１から成るものであり、前記押圧凸部１０と前記摩擦板１５とは、前記回動体７の握持部８が定規本体１の側方に突出した状態にある場合は接触せず、この回動体７を回動させて前記握持部８を前記定規本体１と平行状態とする場合には、この回動の途中で平面視略楕円形状のスライド固定用押圧部１０の長径端部２３が左右の摩擦板１５を定規本体１の凹溝１１の内側面に向かって押圧し、前記凹溝１１の左右両内側面に押し付けるように構成したものである。
【００４２】
具体的には、前記回動操作部６が回動する際、前記スライド固定用押圧部１０の長径端部２３がこの摩擦板１５を押圧すると、この摩擦板１５の上端が前記凹溝１１の折り返し部２０を圧接するように構成したものである。
【００４３】
クランプ固定機構５は、前記回動体７と前記クランプ係止部３の前記揺動係止部１３と前記遊嵌合爪１７及び前記ガイド体２２から成るものであり、この回動体７と前記揺動係止部１３とは、回動体７の握持部８が定規本体１の側方に突出した状態にある場合は接触せず、この回動体７を回動させて前記握持部８を平行状態とした場合には、回動体７のクランプ固定用押圧部９が前記揺動係止部１３を内方に押圧し、前記ガイド体２２が前記揺動係止部１３を上方に押圧するように構成したものである。
【００４４】
具体的には、この回動体７のクランプ固定用押圧部９は曲面１８と平坦な押圧面３３とからなり、この曲面１８と押圧面３３との連設部である角部１９が、前記回動操作部６を回動する際、前記揺動係止部１３を押圧して前記押圧面３３が角部１９により押圧された揺動係止部１３の戻動を阻止するように構成し、同時に前記ガイド体２２の上面により前記遊嵌合係止部１３の延長板１６を前記遊嵌合爪１７の裏面に押圧するように構成したものである。
【００４５】
従って、スライド固定機構４は、前記回動操作部６の握持部８が前記定規本体１の側方に突出した状態にある場合には、前記スライド固定用押圧部１０は摩擦板１５と接触しないからスライド移動が可能であり（図３）、前記回動体７を回動させて前記握持部８を前記定規本体１と平行状態とする場合には、この回動の途中で前記平面視楕円形状のスライド固定用押圧部１０の長径端部２３が前記凹溝１１の折り返し部２０に摩擦板１５の上端を圧接するから、これによりこのスライド板１４と摩擦板１５及び折り返し部２０の間には極めて強い摩擦力が生じることになり、スライド板１４のスライド移動を阻止してクランプ係止部３のスライド移動を係止固定するから、このクランプ係止部３はスライド移動できなくなる（図４）。
【００４６】
同様に、クランプ固定機構５は、前記回動操作部６の握持部８が前記定規本体１の側方に突出した状態にある場合には、前記クランプ固定用押圧部９はクランプ係止部３の揺動係止部１３を押圧しないから、この揺動係止部１３はやや余裕をもって被切断材Ａと当接し（図３，５）、前記係止部２と前記被切断材Ａを挟着して、この回動体７を回動させて前記握持部８を前記定規本体１と平行状態とした場合には、前記揺動係止部１３を前記回動体７の曲面１８と押圧面３３との連設部である角部１９により内方に押圧し、この押圧面３３により揺動係止部１３の戻動を阻止して、同時に前記ガイド体２２が前記揺動係止部１３の延長板１６を前記遊嵌合爪１７の裏面に押圧するから、この揺動係止部を既に挟着している被切断材Ａに圧接して確実に固定状態とすることで、この挟着した被切断材Ａを締め上げ、定規本体１を板材等に確実にクランプ固定する（図４，６）。
【００４７】
また、本実施例においては、前記回動体７のスライド固定用押圧部１０は、前記摩擦板１５を凹溝１１の内側面に押圧してその摩擦で前記クランプ係止部３を前記定規本体１に係止固定するように構成したが、このスライド固定用押圧部１０が直接凹溝１１の内側面を押圧してその摩擦によってクランプ係止部３を係止固定するように構成してもよい。
【００４８】
尚、図中符号２８は抜け止め用ストッパー、２９はストッパー固定ネジ、３０は操作ハンドルの軸、３２は回動範囲を設定する回動阻止板である。
【００４９】
本実施例は上述のように構成したから、図１に示すように、定規本体１を被切断材Ａである板材に固定し、この固定した定規本体１に電動鋸Ｂを当接摺動させて板材を切断する際、この定規本体１の板材への固定は、この板材の一端面に前記定規本体１の一端部の係止部２を引っかけ係止させ、他端部のクランプ係止部３を回動操作部６の握持部８を握持してスライドさせることで、板材をこのクランプ係止部３と前記係止部２とで挟着するまでスライド移動させ、この握持している一の回動操作部６を操作することで、スライド固定機構４及びクランプ固定機構５を同一操作で作動・解除でき、従来のようにスライド固定機構４及びクランプ固定機構５を両端に夫々別々に設ける必要なく、一端側にまとめて設けることができるから、この一端側から手間なく容易に固定することができ、その上、クランプ係止部３を設けた一端側から螺動等の細かい作業の必要なく極めて簡易な回動操作だけで定規本体１を板材に固定することができるから、極めて扱いやすく作業性が飛躍的に向上する。
【００５０】
また、クランプ係止部３をスライド移動させる際には、回動操作部６の握持部８を握持して動かすことができるから、従来より容易に押圧しながら板材を挟着することができ、一層容易に板材を挟着でき、この回動操作部６を回動する際にも、板材を押圧しながら回動することができるから、より確実に定規本体１を板材にクランプ固定することができる。
【００５１】
しかも、前記スライド固定機構４及び前記クランプ固定機構５は構造が容易であるから、製作作業工程を削減することができコスト安に製作できる。
【００５２】
また、回動操作部６は、定規本体１の側方に突出した状態から回動させて平行状態とすることで、スライド固定機構４及びクランプ固定機構５を作動するように構成したから、板材上に固定状態とした際には回動操作部６は定規本体１と重なることになり切断作業の妨げとならず、より一層扱いやすくなる。
【００５３】
従って、本実施例は、極めて扱いやすく作業性が飛躍的に向上し、しかも、簡易な構造で実現できコスト安に製作可能で量産性にも秀れた極めて画期的な切断用定規をとなる。
【００５４】
【発明の効果】
本発明は上述のように構成したから、極めて扱いやすく作業性が飛躍的に向上し、しかも、簡易な構造で実現できコスト安に製作可能で量産性にも秀れた極めて画期的な切断用定規を提供できることとなる。
【００５５】
また、請求項２に記載の発明においては、一の回動操作部の一連の回動操作で一端側に設けたクランプ係止部をスライド固定すると共に更にクランプ固定できるように構成することを容易に実現できる一層秀れた画期的な切断用定規となる。
【００５６】
また、請求項３に記載の発明においては、操作部のみをスライド・回動操作して極めて迅速に被切断材上に固定でき、より確実にクランプ固定できる極めて実用的で画期的な切断用定規となる。
【００５７】
また、請求項４及び請求項５に記載の発明においては、極めて簡易な構造でスライド固定機構及びクランプ固定機構の同一操作による動作を実現できる極めて実用的で画期的な切断用定規となる。
【００５８】
また、請求項６に記載の発明においては、一の回動操作部の回動操作がしやすく実用性に秀れると共に定規本体を板材等に固定した際には、このハンドル状の回動操作部が邪魔になりにくい等一層実用性に秀れた切断用定規となる。
【図面の簡単な説明】
【図１】本実施例の使用状態図である。
【図２】本実施例の分解説明斜視図である。
【図３】本実施例のスライド固定機構及びクランプ固定機構の説明裏面図である。
【図４】本実施例のスライド固定機構及びクランプ固定機構の説明裏面図である。
【図５】本実施例のクランプ固定機構の説明断面図である。
【図６】本実施例のクランプ固定機構の説明断面図である。
【図７】本実施例の係止部の説明断面図である。
【図８】本実施例の係止部の説明裏面図である。
【符号の説明】
１　定規本体
２　係止部
３　クランプ係止部
４　スライド固定機構
５　クランプ固定機構
６　回動操作部
７　回動体
８　握持部
９　クランプ固定用押圧部
１０　スライド固定用押圧部
１２　当接面
１３　揺動係止部
１４　スライド板
Ａ　被切断材
【図１】
2004090603.tif 000003
【図２】
2004090603.tif 000004
【図３】
2004090603.tif 000005
【図４】
2004090603.tif 000006
【図５】
2004090603.tif 000007
【図６】
2004090603.tif 000008
【図７】
2004090603.tif 000009
【図８】
2004090603.tif 000010